(57)【要約】  表示部に接触する操作体を認識するセンサ部と、操作体の操作を誘導する誘導表示を表示部に表示する制御部とを有する情報処理装置である。図５
2019159500.tif 000002
【特許請求の範囲】
【請求項１】
表示部に接触する操作体を認識するセンサ部と、
前記操作体の操作を誘導する誘導表示を前記表示部に表示する制御部とを有する
情報処理装置。
【請求項２】
前記制御部は、前記センサ部により得られる前記操作体の生体情報に基づいて認証を行う
請求項１に記載の情報処理装置。
【請求項３】
前記生体情報は、少なくとも、指紋、汗腺、脈拍、血圧、体温による認証、若しくはその組み合わせである
請求項２に記載の情報処理装置。
【請求項４】
前記制御部は、前記生体情報に基づく認証に基づいて、前記表示部に表示されている機能の処理を行う
請求項２に記載の情報処理装置。
【請求項５】
前記誘導表示は、前記操作体の移動方向、前記操作体の接触回数及び前記操作体の種類の少なくとも一つを示す表示である
請求項１に記載の情報処理装置。
【請求項６】
前記制御部は、セキュリティレベルに応じて異なる誘導表示を前記表示部に表示する
請求項１に記載の情報処理装置。
【請求項７】
前記制御部は、前記表示部に表示されている所定の表示を前記操作体の移動方向に沿って消去することにより前記操作体の操作を誘導する
請求項１に記載の情報処理装置。
【請求項８】
前記制御部は、前記表示部における前記センサ部に対応する位置に前記誘導表示を表示する
請求項１に記載の情報処理装置。
【請求項９】
姿勢検出部を有し、
前記制御部は、前記姿勢検出部による検出結果に応じて異なる誘導表示を表示する
請求項１に記載の情報処理装置。
【請求項１０】
前記制御部は、前記表示部に表示される表示の位置を変化させることにより、前記誘導表示を行う
請求項１に記載の情報処理装置。
【請求項１１】
前記制御部は、前記誘導表示を伴わず、且つ、前記操作体の接触位置を示す表示を前記表示部に表示する
請求項１に記載の情報処理装置。
【請求項１２】
前記表示部と、前記センサ部と、前記表示部への前記操作体の接触を検出する接触検出部とが積層された構造を有する
請求項１に記載の情報処理装置。
【請求項１３】
発光部と、
前記表示部における前記操作体が接触される位置に前記発光部からの光を導光する導光部とを有する
請求項１２に記載の情報処理装置。
【請求項１４】
前記表示部は自発光のディスプレイであり、前記表示部からの光が、前記操作体が接触される位置に照射される構成を有する
請求項１２に記載の情報処理装置。
【請求項１５】
前記制御部は、前記接触検出部により前記操作体の接触が検出された場合に、前記センサ部に対応する位置に表示されている表示を消去する
請求項１４に記載の情報処理装置。
【請求項１６】
前記操作体が指先であり、且つ、前記センサ部が撮像素子である
請求項１に記載の情報処理装置。
【請求項１７】
センサ部が、表示部に接触する操作体を認識し、
制御部が、前記操作体の操作を誘導する誘導表示を前記表示部に表示する
情報処理方法。
【請求項１８】
センサ部が、表示部に接触する操作体を認識し、
制御部が、前記操作体の操作を誘導する誘導表示を前記表示部に表示する
情報処理方法をコンピュータに実行させるプログラム。
【請求項１９】
表示部と、
前記表示部に接触する操作体を認識するセンサ部と、
前記操作体の操作を誘導する誘導表示を前記表示部に表示する制御部とを有する
ウェアラブル機器。
【発明の詳細な説明】
【技術分野】
【０００１】
本開示は、情報処理装置、情報処理方法、プログラム及びウェアラブル機器に関する。
【背景技術】
【０００２】
従来から機器（デバイス）の使用者を認証する技術が提案されている。例えば、下記の特許文献１には、リストバンド型の認証デバイスが記載されている。
【先行技術文献】
【特許文献】
【０００３】
【特許文献１】特開２００２−３１２３２４号公報
【発明の概要】
【発明が解決しようとする課題】
【０００４】
このような分野では、効果的な認証を行うための表示がなされることが望まれている。【０００５】
本開示は、効果的な認証を行うための表示がなされる情報処理装置、情報処理方法、プログラム及びウェアラブル機器を提供することを目的の一つとする。
【課題を解決するための手段】
【０００６】
本開示は、例えば、
表示部に接触する操作体を認識するセンサ部と、
操作体の操作を誘導する誘導表示を表示部に表示する制御部とを有する
情報処理装置である。【０００７】
本開示は、例えば、
センサ部が、表示部に接触する操作体を認識し、
制御部が、操作体の操作を誘導する誘導表示を表示部に表示する
情報処理方法である。【０００８】
本開示は、例えば、
センサ部が、表示部に接触する操作体を認識し、
制御部が、操作体の操作を誘導する誘導表示を表示部に表示する
情報処理方法をコンピュータに実行させるプログラムである。【０００９】
本開示は、例えば、
表示部と、
表示部に接触する操作体を認識するセンサ部と、
操作体の操作を誘導する誘導表示を表示部に表示する制御部とを有する
ウェアラブル機器である。
【発明の効果】
【００１０】
本開示の少なくとも一つの実施形態によれば、効果的な認証を行うための表示を行うことができる。ここに記載された効果は必ずしも限定されるものではなく、本開示中に記載されたいずれの効果であっても良い。また、例示された効果により本開示の内容が限定して解釈されるものではない。
【図面の簡単な説明】
【００１１】
【図１】図１は、一般的なスマートフォンの外観例を示す図である。
【図２】図２は、実施形態に係るリストバンド型電子機器の外観例を示す図である。
【図３】図３は、実施形態に係るリストバンド型電子機器の内部構造例を示す図である。
【図４】図４は、実施形態に係るリストバンド型電子機器の回路構成例を示す図である。
【図５】図５Ａはワンタッチ認証の際に表示される表示の例を示す図であり、図５Ｂはスライド認証の際に表示される表示の例を示す図であり、図５Ｃは複数スライド認証の際に表示される表示の例を示す図である。
【図６】図６は、第１の実施形態にかかる認証処理の流れを示すフローチャートである。
【図７】図７は、第２の実施形態にかかる認証処理の流れを示すフローチャートである。
【図８】図８は、第３の実施形態にかかる誘導表示の例を説明するための図である。
【図９】図９は、第４の実施形態にかかる誘導表示の例を説明するための図である。
【図１０】図１０は、第５の実施形態にかかる誘導表示を表示する処理の流れを示すフローチャートである。
【図１１】図１１Ａ及び図１１Ｂは、第５の実施形態にかかる誘導表示の例を説明するための図である。
【図１２】図１２Ａ〜図１２Ｅは、第６の実施形態にかかる誘導表示の例を説明するための図である。
【図１３】図１３Ａ及び図１３Ｂは、第６の実施形態にかかる誘導表示を表示する際に行われる処理を説明するための図である。
【図１４】図１４は、変形例を説明するための図である。
【図１５】図１５は、変形例を説明するための図である。
【発明を実施するための形態】
【００１２】
以下、本開示の実施形態等について図面を参照しながら説明する。なお、説明は以下の順序で行う。
＜一般的な技術について＞
＜１．第１の実施形態＞
＜２．第２の実施形態＞
＜３．第３の実施形態＞
＜４．第４の実施形態＞
＜５．第５の実施形態＞
＜６．第６の実施形態＞
＜７．変形例＞
以下に説明する実施形態等は本開示の好適な具体例であり、本開示の内容がこれらの実施形態等に限定されるものではない。
【００１３】
＜一般的な技術について＞
始めに、本開示の理解を容易とするために、図１を参照して一般的な技術について説明する。図１は、モバイル機器の一例であるスマートフォン（スマートフォン１）の外観を示している。スマートフォン１は、例えば、筐体２と、ディスプレイ３と、指紋センサ部４とを有している。筐体２の一主面にディスプレイ３が設けられており、筐体２におけるディスプレイ３の下部に指紋センサ部４が設けられている。
【００１４】
かかる構成の場合には、ディスプレイ３とは別の領域に指紋センサ部４が設けられているので、装置全体をコンパクトに設計することができない。また、スマートフォン１に適用される指紋センサ部４は静電容量型で指紋の凹凸による静電容量の変化を検出する原理の場合が多い。このような指紋センサ部４は、環境の湿度に影響されやすく、特に濡れた指を検出しづらいという問題がある。
【００１５】
また、図１に示した一般的な指紋認証システムは、例えばディスプレイ３に指紋認証を促す表示がなされる場合に、当該表示の位置と指紋センサ部４の位置とが離れているために、指紋認証を行う際に指と視線とをディスプレイ３外に移動させる必要があり、直感的なＵＩ(User Interface)を提供できないという問題がある。かかる問題を踏まえつつ、本開示の実施形態について詳細に説明する。
【００１６】
＜１．第１の実施形態＞
［リストバンド型電子機器について］
（リストバンド型電子機器の外観例）
次に、第１の実施形態について説明する。第１の実施形態は、本開示を情報処理装置の一例、より具体的にはウェアラブル機器の一例であるリストバンド型電子機器に適用した例である。図２は、第１の実施形態にかかるリストバンド型電子機器（リストバンド型電子機器１０）の外観例を示している。
【００１７】
図２に示すように、リストバンド型電子機器１０は、例えば、時計のように用いられる。より詳細には、リストバンド型電子機器１０は、ユーザの手首５に巻き付けられるバンド部１１と、本体部１２とを有している。本体部１２は、ディスプレイ１３を有している。
【００１８】
（リストバンド型電子機器の内部の構造例）
図３は、リストバンド型電子機器１０の本体部１２の内部の構造例を説明するための部分断面図である。リストバンド型電子機器１０の本体部１２は、例えば、上述したディスプレイ１３と、導光板１４と、発光部１５と、接触検出部の一例であるタッチセンサ部１６と、センサ部の一例である撮像素子１７と、レンズ部１８とを有している。
【００１９】
概略的には、図３に示すように、操作体の一例である指先Ｆによる接触操作がディスプレイ１３に対してなされ、接触の有無がタッチセンサ部１６により検出される。リストバンド型電子機器１０の本体部１２は、操作側から見て、導光板１４、ディスプレイ１３、レンズ部１８及び撮像素子１７が順次、積層された構造を有している。なお、ディスプレイ１３に対する接触は、ディスプレイ１３に対する直接的な接触だけでなく、他の部材（例えば、導光板１４）を介した間接的な接触を含んでいても良い。また、ディスプレイ１３に対する接触には、例えば指先Ｆがディスプレイ１３に触れることだけでなく、指先Ｆがディスプレイ１３に近接することを含んでいても良い。
【００２０】
以下、各構成について説明する。ディスプレイ１３は、液晶ＬＣＤ(Liquid Crystal Display)、ＯＬＥＤ（Organic Light Emitting Diode）等から構成されている。導光板１４は、例えば、発光部１５からの光を指先Ｆが接触される位置である領域ＡＲに導光する光透過性部材である。導光板１４は、透明のものに限らず、撮像素子１７による指先Ｆの指紋の撮影が可能な程度、光を透過するものであれば良い。
【００２１】
発光部１５は、ＬＥＤ(Light Emitting Diode)等から構成されており、導光板１４の周囲の少なくとも一部に設けられている。なお、領域ＡＲは、撮像素子１７に対応する位置、具体的には、少なくとも撮像素子１７による撮影の範囲に対応する位置を含む領域である。発光部１５は、例えば、指紋を撮影する際に点灯することで、撮影に必要とされる光を提供する。
【００２２】
タッチセンサ部１６は、ディスプレイ１３に対する指先Ｆの接触を検出するセンサである。タッチセンサ部１６としては、例えば、静電容量方式のタッチセンサが適用される。抵抗膜方式等、他の方式のタッチセンサが適用されても良い。なお、図３では、領域ＡＲの下部付近の位置にタッチセンサ部１６が局所的に設けられているが、ディスプレイ１３の下側の略全面にわたってタッチセンサ部１６が設けられていても良い。
【００２３】
撮像素子１７は、ＣＣＤ（Charge Coupled Device）、ＣＭＯＳ（Complementary Metal Oxide Semiconductor）等により構成されている。撮像素子１７は、レンズ部１８を介して入射する被写体光を光電変換して電荷量に変換し、指先Ｆの指紋の画像を生成する。撮像素子１７を介して得られる画像信号に対して後段における種々の処理が行われる。レンズ部１８は、撮像素子１７の画素毎に設けられるレンズ（マイクロレンズ）により構成されるものである。
【００２４】
（リストバンド型電子機器の回路構成例）
図４は、リストバンド型電子機器１０の回路構成例等を示すブロック図である。リストバンド型電子機器１０は、上述したディスプレイ１３、タッチセンサ部１６及び撮像素子１７等の他に、例えば、制御部２１、無線通信部２２、無線通信部２２に接続されるアンテナ２３、ＮＦＣ（Near Field Communication）通信部２４、ＮＦＣ通信部２４に接続されるアンテナ２５、ＧＰＳ（Global Positioning System）部２６、位置センサ部２６に接続されるアンテナ２７、メモリ部２８、バイブレータ２９、モーションセンサ３０、音声処理部３１、マイクロホン３２及びスピーカ３３を有している。
【００２５】
制御部２１は、例えばＣＰＵ（Central Processing Unit）から構成されており、リストバンド型電子機器１０の各部を制御する。具体例としては、制御部２１はディスプレイ１３に表示される情報を制御して、後述する誘導表示をディスプレイ１３に表示させる制御を行う。また、制御部２１は、撮像素子１７により撮影される指先Ｆの指紋画像に種々の画像処理を施すと共に、生体情報の一つである指紋の画像（指紋画像）に基づく指紋認証を行う。
【００２６】
無線通信部２２は、例えばBluetooth（登録商標）の規格に基づいて他の端末と近距離無線通信を行う。無線通信部２２は、例えばBluetooth（登録商標）の規格に対応して、変調／復調処理やエラー訂正処理等を行う。
【００２７】
ＮＦＣ通信部２４は、ＮＦＣの規格に基づいて、近接したリーダー／ライタと無線通信を行う。なお、図示は省略しているが、リストバンド型電子機器１０の各部に対しては、リチウムイオン二次電池等のバッテリから電力が供給される。当該バッテリが、ＮＦＣの規格に基づいてワイヤレス充電されるようにしても良い。
【００２８】
位置センサ部２６は、例えば、ＧＮＳＳ(Global Navigation Satellite System)と称されるシステムを利用して、現在位置の測位を行う測位部である。これらの無線通信部２２、ＮＦＣ通信部２４、位置センサ部２６で得られたデータは、制御部２１に供給される。そして、制御部２１は、供給されたデータに基づく制御を実行する。
【００２９】
メモリ部２８は、制御部２１が実行するプログラムが格納されるＲＯＭ(Read Only Memory)や制御部２１がプログラムを実行する際のワークメモリとして使用されるＲＡＭ（Random Access Memory）やデータ記憶用の不揮発性メモリ等を総称したものである。なお、メモリ部２８には、指紋認証用のユーザの指紋情報が記憶される。この指紋情報は、例えば、リストバンド型電子機器１０を初めて使用する際に初期登録される。
【００３０】
バイブレータ２９は、例えば、リストバンド型電子機器１０の本体部１２を振動させる部材である。バイブレータ２９による本体部１２の振動で、電話の着信や電子メールの受信等が通知される。
【００３１】
モーションセンサ３０は、リストバンド型電子機器１０を装着したユーザの動きを検出する。モーションセンサ３０としては、加速度センサ、ジャイロセンサ、電子コンパス、気圧センサなどが使用される。なお、リストバンド型電子機器１０は、モーションセンサ３０以外のセンサを内蔵しても良い。例えば、リストバンド型電子機器１０を装着したユーザの血圧、脈拍、汗腺（汗腺の位置でも良いし、汗腺からの発汗の程度でも良い）、体温等の指紋以外の生体情報を検出するバイオセンサが内蔵されていても良い。また、リストバンド型電子機器１０をユーザが装着したか否かを検出するための圧力センサ等がバンド部１１や本体部１２の裏側（手首に向く側）に設けられていても良い。
【００３２】
音声処理部３１には、マイクロホン３２とスピーカ３３とが接続され、音声処理部３１が、無線通信部２２での無線通信で接続された相手と通話の処理を行う。また、音声処理部３１は、音声入力操作のための処理を行うこともできる。
【００３３】
ディスプレイ１３、タッチセンサ部１６等については既に説明してあるので、重複した説明を省略する。
【００３４】
［指紋認証を行う際の表示例］
次に、指紋認証を行う際の表示例について説明する。これらの表示例をディスプレイ１３に表示させる制御は、例えば制御部２１によって行われる。
【００３５】
図５Ａは、指紋認証を行う際に表示される表示の第１の例を示す。図５Ａに示すように、例えば、指紋を模した表示ＡＡがディスプレイ１３に表示される。かかる表示により、表示ＡＡが表示される位置が指先Ｆを接触させる位置であることを示すことができると共にユーザに対して指紋認証を促すことができる。表示ＡＡが表示される位置の少なくとも一部における下方に撮像素子１７が位置している。なお、図５では、理解を容易とするために撮像素子１７の位置を図示している。
【００３６】
ユーザは、指先Ｆを表示ＡＡに対応する位置に接触させる。タッチセンサ部１６により指先Ｆの接触が検知されると、制御部２１は、指紋の撮影を行う制御を実行する。かかる制御に応じて、指先Ｆの情報である指紋画像が撮像素子１７を介して得られる。制御部２１は、得られた指紋画像に適宜な画像処理を施した後に、指紋画像とメモリ部２８に記憶されているユーザの指紋画像とのマッチング処理を行い、認証を行う。例えば、指紋画像同士の特徴点の一致度を比較することにより認証を行う。勿論、認証方法は他の公知の方法を適用することができる。また、何れかの生体情報若しくはその組み合わせに基づく認証が行われても良い。なお、図５Ａに例示する表示は、一度の接触で認証を行う例であり、誘導表示を伴う表示ではない。
【００３７】
かかる構成により、指紋認証を行う箇所とディスプレイを一体化することができるので、リストバンド型電子機器１０の小型化を実現することができる。また、指紋認証を行う表示を、指紋認証を行うためのデバイス（本実施形態では撮像素子１７）の上方に表示させることにより、ユーザがどこに指先Ｆを置けば良いのかを認識し易くなり、直感的なＵＩを実現することができる。また、指先Ｆの湿度に関係なく認証を行うことができ、認証の精度を確保することができる。
【００３８】
図５Ｂは、指紋認証を行う際に表示される表示の第２の例を示す。第２の例は、指先Ｆが接触される位置と共に、指先Ｆの操作を誘導する誘導表示の例である。本実施形態における誘導表示は、指先Ｆの移動方向を示す表示である。
【００３９】
例えば、図５Ｂに示すように、指紋を模した表示ＢＢと共に、誘導表示の一例として、下側を向く３個の矢印の表示ＣＣが表示される。かかる表示により、ユーザ対して指先Ｆを下側に移動させることを促すことができる。
【００４０】
指先Ｆを下側に移動させる操作に応じて、指紋の撮影が行われる。これにより、指紋の特徴点をより多く取得することが可能となる。撮影により得られた指紋画像の特徴点をメモリ部２８に記憶される指紋画像の特徴点と比較することにより、より精度の高い指紋認証を行うことができる。
【００４１】
図５Ｃは、指紋認証を行う際に表示される表示の第３の例を示す。図５Ｃの左側に示す表示は、図５Ｂで示した表示と同様の表示である。図５Ｃの中央に示す表示は、指紋を模した表示ＢＢと共に、誘導表示の一例として、右側を向く３個の矢印の表示ＤＤを含む。図５Ｃの右側に示す表示は、指紋を模した表示ＢＢと共に、誘導表示の一例として、左側を向く３個の矢印の表示ＥＥを含む。
【００４２】
図５Ｃに示した３個の表示が例えば、連続的に表示される。例えば、図５Ｃの左側の表示に基づいて、指先Ｆがスライドされると共に指紋の撮影が行われる。そして指先Ｆがディスプレイ１３から離間されたことがタッチセンサ部１６により検出されると、制御部２１は、図５Ｃ中央に示した表示をディスプレイ１３に表示する。当該表示に応じて、指先Ｆが右側に向けてスライドされると共に指紋の撮影が行われる。そして指先Ｆがディスプレイ１３から離間されたことがタッチセンサ部１６により検出されると、制御部２１は、図５Ｃ右側に示した表示をディスプレイ１３に表示する。当該表示に応じて、指先Ｆが左側に向けてスライドされると共に指紋の撮影が行われる。
【００４３】
かかる処理により、例えば図５Ｂに示した表示に基づいて得られる指紋の特徴点より、指紋の特徴点をより多く取得することが可能となる。撮影により得られた指紋画像の特徴点をメモリ部２８に記憶される指紋画像の特徴点と比較することにより、より精度の高い指紋認証を行うことができる。
【００４４】
なお、以下の説明において、図５Ａに示すように指先Ｆをディスプレイ１３に一度接触させる操作に応じて行われる認証をワンタッチ認証と適宜、称する。また、図５Ｂに示すように指先Ｆをディスプレイ１３に一度接触させた後、一度スライドさせる操作に応じて行われる認証をスライド認証と適宜、称する。また、図５Ｃに示すように指先Ｆをディスプレイ１３上で複数回スライドさせる操作に応じて行われる認証を複数スライド認証と適宜、称する。
【００４５】
「第１の実施形態における認証処理」
（認証処理の流れ）
次に、第１の実施形態における認証処理について、図６に示すフローチャートを参照して説明する。第１の実施形態における認証処理は、リストバンド型電子機器１０を手首５に装着して使用する際に行われる認証処理である。なお、以下に説明する認証処理が、リストバンド型電子機器１０を装着した後、所定時間経過した後等に行われても良い。
【００４６】
本認証処理により認証が成功する以前は、リストバンド型電子機器１０はロック状態である。ロック状態とは、リストバンド型電子機器１０の機能の全ての利用が禁止される状態でも良いし、認証を必要としない機能（例えば、時刻の表示）のみの利用が許可される状態でも良い。認証が成功した場合にはロック状態が解除され、リストバンド型電子機器１０の機能の全ての利用が許可される。以下、具体的な処理の流れについて説明する。なお、以下の処理は特に断らない限り、制御部２１の制御に応じて行われる。
【００４７】
ステップＳＴ１０１では、ワンタッチ認証が行われる。即ち、ディスプレイ１３に指紋を模した形状が表示され、当該表示にユーザが指先Ｆを接触させることにより、指紋認証が行われる。そして、処理がステップＳＴ１０２に進む。
【００４８】
ステップＳＴ１０２では、認証が成功したか否かが判断される。例えば、制御部２１は、撮影された指紋画像とメモリ部２８に記憶されている指紋画像とを対比して、特徴点が閾値以上一致した場合には認証が成功したと判断し、そうでない場合は認証が失敗したと判断する。制御部２１により認証が成功したと判断された場合には、処理がステップＳＴ１１０に進む。
【００４９】
ステップＳＴ１１０では、認証が成功したことから、制御部２１は、リストバンド型電子機器１０のロック状態を解除する。以降、リストバンド型電子機器１０の全ての機能の利用が可能となる。
【００５０】
ステップＳＴ１０２の判断処理において、制御部２１により認証が失敗したと判断された場合には、処理がステップＳＴ１０３に進む。ステップＳＴ１０３では、認証の失敗回数が閾値（例えば、３回）以上であるか否かが判断される。認証の失敗回数が３回未満であれば処理がステップＳＴ１０１に戻り、再度、ワンタッチ認証が行われる。認証の失敗回数が３回以上であれば、処理がステップＳＴ１０４に進む。
【００５１】
ステップＳＴ１０４では、スライド認証が行われる。即ち、ディスプレイ１３に誘導表示を含む指紋を模した形状が表示され、当該表示にユーザが指先Ｆを接触させると共に、指先Ｆを一度スライドさせることにより、指紋認証が行われる。ここでは、ワンタッチ認証に複数回失敗したことから、被認証者をより精度よく認証するためにスライド認証を行うようにしている。そして、処理がステップＳＴ１０５に進む。
【００５２】
ステップＳＴ１０５では、認証が成功したか否かが判断される。例えば、制御部２１は、撮影された指紋画像とメモリ部２８に記憶されている指紋画像とを対比して、特徴点が閾値以上一致した場合には認証が成功したと判断し、そうでない場合は認証が失敗したと判断する。制御部２１により認証が成功したと判断された場合には、処理がステップＳＴ１１０に進む。
【００５３】
ステップＳＴ１１０では、認証が成功したことから、制御部２１は、リストバンド型電子機器１０のロック状態を解除する。以降、リストバンド型電子機器１０の全ての機能の利用が可能となる。
【００５４】
ステップＳＴ１０５の判断処理において、制御部２１により認証が失敗したと判断された場合には、処理がステップＳＴ１０６に進む。ステップＳＴ１０６では、認証の失敗回数が閾値（例えば、３回）以上であるか否かが判断される。認証の失敗回数が３回未満であれば処理がステップＳＴ１０４に戻り、再度、スライド認証が行われる。認証の失敗回数が３回以上であれば、処理がステップＳＴ１０７に進む。
【００５５】
ステップＳＴ１０７では、複数スライド認証が行われる。即ち、ディスプレイ１３に誘導表示を含む指紋を模した形状が表示され、当該表示にユーザが指先Ｆを接触させると共に、指先Ｆを複数回スライドさせることにより、指紋認証が行われる。ここでは、スライド認証に複数回失敗したことから、被認証者をより精度よく認証するために複数スライド認証を行うようにしている。そして、処理がステップＳＴ１０８に進む。
【００５６】
ステップＳＴ１０８では、認証が成功したか否かが判断される。例えば、制御部２１は、撮影された指紋画像とメモリ部２８に記憶されている指紋画像とを対比して、特徴点が閾値以上一致した場合には認証が成功したと判断し、そうでない場合は認証が失敗したと判断する。制御部２１により認証が成功したと判断された場合には、処理がステップＳＴ１１０に進む。
【００５７】
ステップＳＴ１１０では、認証が成功したことから、制御部２１は、リストバンド型電子機器１０のロック状態を解除する。以降、リストバンド型電子機器１０の全ての機能の利用が可能となる。
【００５８】
ステップＳＴ１０８の判断処理において、制御部２１により認証が失敗したと判断された場合には、処理がステップＳＴ１０９に進む。ステップＳＴ１０９では、ワンタッチ認証、スライド認証、複数スライド認証の全てにおける認証が失敗したことから、被認証者がリストバンド型電子機器１０の真正なユーザではないと判断される。従って、制御部２１は、リストバンド型電子機器１０のロック状態を継続する。
【００５９】
（認証処理の変形例）
上述した認証処理では、認証の成否に応じてワンタッチ認証、スライド認証及び複数スライド認証の全てを行うようにしたが、これに限定されるものではない。例えば、認証処理が、始めにワンタッチ認証を行わずにスライド認証に基づく認証を行い、スライド認証に基づく認証が複数回失敗した場合に複数スライド認証を行う処理であっても良い。
【００６０】
＜２．第２の実施形態＞
次に、第２の実施形態について説明する。第２の実施形態は、概略的には、セキュリティレベルに応じて異なる誘導表示を表示する例である。なお、第１の実施形態で説明した事項（例えば、リストバンド型電子機器１０の外観、構成等）は、特に断らない限り第２の実施形態にも適用することができる。なお、第２の実施形態にかかるリストバンド型電子機器１０は、リストバンド型電子機器１０をリーダに近づけることで決済が可能となる決済機能を有している。
【００６１】
「第２の実施形態における認証処理」
第２の実施形態における認証処理について、図７に示すフローチャートを参照して説明する。第２の実施形態における認証処理は、概略的には、図７に示す処理におけるステップＳＴ２０１〜ステップＳＴ２０４までの処理がリストバンド型電子機器１０の装着時に行われる認証処理であり、ステップＳＴ２０５〜ステップＳＴ２０９までの処理が、決済機能を実行するアプリケーション（アプリとも略称される）の要求に応じて行われる認証処理である。なお、以下の説明では、リストバンド型電子機器１０の装着時に行われる認証処理とアプリケーションの要求に応じて行われる認証処理とが連続的に行われるように説明しているが、必ずしも２つの認証処理が連続的に行われる必要は無い。
【００６２】
ステップＳＴ２０１では、リストバンド型電子機器１０の装着状態が検出される。例えば、リストバンド型電子機器１０のバンド部１１に設けられた圧力センサによる検出結果に基づいてリストバンド型電子機器１０の装着状態が検出される。そして、リストバンド型電子機器１０が装着されている場合には、処理がステップＳＴ２０２に進む。
【００６３】
ステップＳＴ２０２では、リストバンド型電子機器１０の装着時に行われる認証である装着認証が済んでいるか否かが判断される。例えば、制御部２１は、メモリ部２８に記憶されている、装着認証が済んだか否かを示すフラグを参照して、装着認証が済んでいるか否かを判断する。装着認証が済んでいない場合には、処理がステップＳＴ２０３に進む。
【００６４】
ステップＳＴ２０３では、例えば、ワンタッチ認証に基づく認証により装着認証が行われる。そして、処理がステップＳＴ２０４に進む。
【００６５】
ステップＳＴ２０４では、装着認証が成功したか否かが判断される。装着認証が失敗した場合には、処理がステップＳＴ２０１に戻り、装着状態に応じた装着認証が行われる。装着認証が成功した場合には、制御部２１は、例えば装着認証が済んでいることを示すようにフラグを更新する。そして、処理がステップＳＴ２０５に進む。
【００６６】
ステップＳＴ２０５では、ユーザがリストバンド型電子機器１０を使用して所謂電子マネーによる決済を行う。ステップＳＴ２０５では、かかる決済を行うために、決済を行うアプリケーションから指紋認証及びその結果の要求がリストバンド型電子機器１０に対して行われる。そして、処理がステップＳＴ２０６に進む。
【００６７】
ステップＳＴ２０６では、制御部２１がセキュリティレベルを判断する。本実施形態では、制御部２１は、決済の額に応じてセキュリティレベルを判断する。例えば、決済の額が少額（例えば、１万円以下）の場合には、要求されるセキュリティレベルが「低」であると判断する。また、決済の額が所定額（例えば、１万円〜１０万円以下）の場合には、要求されるセキュリティレベルが「中」であると判断する。また、決済の額が高額（例えば、１０万円より大きい額）の場合には、要求されるセキュリティレベルが「高」であると判断する。
【００６８】
セキュリティレベルが「低」である場合には、処理がステップＳＴ２０７に進む。ステップＳＴ２０７では、セキュリティレベルが「低」であることから、制御部２１は、装着認証のみが済んでいれば良く再度の認証が不要と判断する。ここでは、既にステップＳＴ２０２で装着認証が済んでいることから、制御部２０１は、装着認証が済んでおり再度の認証が不要である旨をアプリケーションに返される。なお、図示は省略しているが、この後、リストバンド型電子機器１０を使用した決済が可能となる。
【００６９】
ステップＳＴ２０６における判断処理の結果が、セキュリティレベルが「中」である場合には、処理がステップＳＴ２０８に進む。ステップＳＴ２０８では、セキュリティレベルが「中」であることから、より精度の高い認証を行うことができるスライド認証が行われる。即ち、例えば図５Ｂに示した誘導表示を含む表示がなされ、スライド認証が行われる。スライド認証の結果がアプリケーションに返される。スライド認証の結果が「成功」である場合には、ディスプレイ１３に表示されている機能の処理が行われる。例えば、スライド認証の結果が「成功」である場合には、アプリケーションによる決済が行われる。また、スライド認証の結果が「失敗」である場合にはアプリケーションによる決済が不許可となる。
【００７０】
ステップＳＴ２０６における判断処理の結果が、セキュリティレベルが「高」である場合には、処理がステップＳＴ２０９に進む。ステップＳＴ２０９では、セキュリティレベルが「高」であることから、より精度の高い認証を行うことができる複数スライド認証が行われる。即ち、例えば図５Ｃに示した誘導表示を含む表示がなされ、複数スライド認証が行われる。複数スライド認証の結果がアプリケーションに返される。複数スライド認証の結果が「成功」である場合にはアプリケーションによる決済が行われ、複数スライド認証の結果が「失敗」である場合にはアプリケーションによる決済が不許可となる。
【００７１】
かかる処理を行うことで、装着認証が済んでいれば低額（例えば、１００円程度のお茶）のものを購入することが許可され、低額のものを購入する度に認証を行う必要が無くなる。従って、一定程度のセキュリティとユーザの利便性とを両立させることができる。また、比較的高額のものを購入する際には、精度の高い認証が行われるので、なりすまし等による決済を防止することができる。
【００７２】
「第２の実施形態の変形例」
セキュリティレベルが「中」の場合に複数スライド認証が行われても良い。そしてセキュリティレベルが「高」の場合には、ワンタッチ認証及び複数スライド認証が行われるようにしても良い。セキュリティレベルに応じてどのような誘導表示を表示し、どのようにして認証を行うかは、適宜、変更することができる。
【００７３】
上述した説明では、対面決済を想定して設定されるセキュリティレベルについて説明したが、これに限定されるものではない。例えば、下記の表１に示すように、対面決済だけでなく、非対面決済における額や、インターネットバンキングにおける機能に応じて、セキュリティレベルを設定し、当該セキュリティレベルに応じた誘導表示を表示させることも可能である。
【００７４】
【表１】
2019159500.tif 000003
【００７５】
また、セキュリティレベルは、決済だけでなく、入室管理やデータへのアクセス権限等に対応して設定されるものであっても良い。
【００７６】
＜３．第３の実施形態＞
次に、第３の実施形態について説明する。第３の実施形態は、ディスプレイ１３に表示されている所定の表示を指先Ｆの移動方向に沿って消去させることにより指先Ｆの操作を誘導する例である。なお、上述した実施形態で説明した事項は、特に断らない限り本実施形態に適用することができる。
【００７７】
例えば、図８Ａに示すように、ディスプレイ１３に所定の表示の一例として「￥１９，８００」の文字（数字を含む）が表示されている。例えば「￥」の文字の下側に撮像素子１７が位置している。
【００７８】
ユーザは、始めに「￥」の箇所に指先Ｆを接触させた後、文字列に沿って指先Ｆをスライドさせる。この指先Ｆの操作はスワイプと称される。図８Ｂ及び図８Ｃに示すように、指先Ｆをスライドさせる操作に応じて、文字が消えていく。指先Ｆをスライドさせる際に、指先Ｆが撮像素子１７上を通過するので、指先Ｆの指紋画像を取得することが可能となる。当該取得した指紋画像に基づいてスライド認証が行われ、指紋認証が成立した場合には、図８Ｄに示すように、例えば「Ｔｈａｎｋ  ｙｏｕ！」との表示がなされると共に、決済が行われる。なお、指紋認証が失敗した場合には「￥１９，８００」との文字が再度表示されても良い。
【００７９】
かかる処理により、ユーザは、決済の額を確認し、あたかも能動的にサインをしたようにして決済の額を承認した操作を行うことが可能となる。
【００８０】
なお、撮像素子１７は、指先Ｆをスライドさせる経路上の少なくとも一部の下部に位置していれば良い。また、より指先Ｆの移動方向をユーザによりわかり易くするために「￥１９，８００」の文字を表示する際に、文字列を左から右側に向かって順次、消去しつつ、全ての文字が消去した後に「￥１９，８００」の文字を再度表示しても良い。また、この表示の態様を繰り返しても良い。さらに、例えば指先Ｆが「￥」の箇所を接触したことがタッチセンサ部１６により検出された場合に、隣接する文字（本例では「１」）の表示濃度を薄くしても良い。あたかも文字がフェードアウトするような誘導表示により、ユーザに対して指先Ｆを移動する方向を知覚させることができる。即ち、表示の消去には表示を消すだけでなく、表示の濃度を変更することを含んでいても良い。
【００８１】
＜４．第４の実施形態＞
次に、第４の実施形態について説明する。なお、上述した実施形態で説明した事項は、特に断らない限り本実施形態に適用することができる。
【００８２】
図９Ａに示すように、ディスプレイ１３には矩形状の枠部４０が表示されている。枠部４０の下部に撮像素子１７が位置している。図９Ａ及び図９Ｂにおける矩形の枠内に表示されたＡ、Ｂ・・との文字は、アプリケーションに対応するアイコンを示している。ユーザの指先Ｆをスライドさせる操作に応じて、所定のアイコンが枠部４０内に表示される。例えば、図９Ｂでは、枠部４０内にアプリケーションＢに対応するアイコンが表示されている。
【００８３】
ユーザは、枠部４０内に指先Ｆを接触させることで、指紋認証を行う。認証が成立した場合には、アプリケーションＢにログインすることが可能となる。かかる処理によりアプリケーションＢの選択とログインとを同時に行うことが可能となる。なお、枠部４０内に例えば上方向又は下方向を向く矢印等による誘導表示を表示させ、当該表示に応じてユーザに対してスライド認証や複数スライド認証を行うことを促すことができる。
【００８４】
＜５．第５の実施形態＞
次に、第５の実施形態について説明する。なお、上述した実施形態で説明した事項は、特に断らない限り本実施形態に適用することができる。第５の実施形態は、概略的には、姿勢検出部の一例であるモーションセンサ３０の検出結果に応じて、異なる誘導表示を表示させる例である。
【００８５】
図１０は、第５の実施形態における処理の流れを示すフローチャートである。ステップＳＴ５０１では、所定のアプリケーションから指紋認証が要求される。そして、処理がステップＳＴ５０２に進む。
【００８６】
ステップＳＴ５０２では、制御部２１は、モーションセンサ３０から供給されるセンサ情報に基づいて、リストバンド型電子機器１０の姿勢を検出する。そして、処理がステップＳＴ５０３に進む。
【００８７】
ステップＳＴ５０３では、制御部２１が、リストバンド型電子機器１０の姿勢から、リストバンド型電子機器１０を装着している手を下ろしているか否かを判断する。制御部２１が、リストバンド型電子機器１０を装着している手を下ろしていると判断した場合には、処理がステップＳＴ５０４に進む。ステップＳＴ５０４では、制御部２１は、指縦置き認証のＧＵＩ（Graphical User Interface）をディスプレイ１３に表示する制御を行う。そして、処理がステップＳＴ５０６に進む。
【００８８】
ステップＳＴ５０３の判断処理において、制御部２１が、リストバンド型電子機器１０を装着している手を下ろしていないと判断した場合には、処理がステップＳＴ５０５に進む。ステップＳＴ５０５では、制御部２１は、指横置き認証のＧＵＩをディスプレイ１３に表示する制御を行う。そして、処理がステップＳＴ５０６に進む。
【００８９】
ステップＳＴ５０６では、上述したＧＵＩを使用した指紋認証が行われる。そして、指紋認証が終了したか否かが判断される。指紋認証が終了した場合には、認証結果に応じた処理が行われた後、処理が終了する。指紋認証が終了していない場合は、処理がステップＳＴ５０３に戻り、ステップＳＴ５０３以降の処理が繰り返される。
【００９０】
なお、上述した処理において、指紋認証が行われる場合は、アプリケーションからの要求に限定されるものではなく、他の場合（例えば、リストバンド型電子機器１０の装着時から所定時間経過後の再度の認証）であっても良い。
【００９１】
図１１Ａは指縦置き認証のＧＵＩの一例を示し、図１１Ｂは指横置き認証のＧＵＩの一例を示す。
【００９２】
図１１Ａに示す指縦置き認証のＧＵＩの場合は、例えば、ユーザの手首５の延在方向に対して略直交する方向に指紋を模した形状が表示されると共に、当該方向に指先Ｆのスライドを誘導するための誘導表示（図示の例では３個の矢印）が表示される。
【００９３】
図１１Ｂに示す指横置き認証のＧＵＩの場合は、例えば、ユーザの手首５の延在方向に沿う方向に指紋を模した形状が表示されると共に、当該方向に指先Ｆのスライドを誘導するための誘導表示（図示の例では３個の矢印）が表示される。
【００９４】
以上、説明したように、モーションセンサ３０の検出結果に応じて、異なる誘導表示を表示することも可能である。かかる処理を行うことにより、例えば、ユーザが鞄をもって腕を下ろしている状態等であっても操作性の良い誘導表示を表示することが可能となる。
【００９５】
＜６．第６の実施形態＞
次に、第６の実施形態について説明する。なお、上述した実施形態で説明した事項は、特に断らない限り本実施形態に適用することができる。第６の実施形態は、概略的には、ディスプレイ１３に表示される表示の位置を変化させることにより、誘導表示を行う例である。
【００９６】
例えば、図１２Ａに示すように、ディスプレイ１３には、複数の矩形状のドットから成り水平方向に延在するライン状の表示６０が表示されている。また、撮像素子１７による撮影範囲が点線の矩形で示されている。撮影範囲は、表示６０を構成する複数のドットのうちの少なくとも一部のドットが表示される位置と重なっている。
【００９７】
図１２Ｂに示すように、ユーザは、撮像素子１７の撮影範囲に対応する箇所に指先Ｆを接触させる。このとき、ユーザに対して指先Ｆを接触させる箇所をわかり易くするために、撮像素子１７による撮影範囲と重なる位置にあるドットを着色して表示したり、点滅させるようにしても良い。
【００９８】
ディスプレイ１３に対する指先Ｆの接触がタッチセンサ部１６により検出されると、制御部２１は、ライン状の表示６０の表示を変化させる制御を行う。具体的には、制御部２１は、表示６０を構成するドットの表示位置を変化させることにより、図１２Ｃ及び図１２Ｄに示すように、表示６０が全体として下側に移動するように表示内容を制御する。かかる表示処理を行うことにより、ユーザに対して指先Ｆを下側にスライドさせることを促すことができる。ユーザが指先Ｆを下側にスライドさせることにより、スライド認証を行うことができる。勿論、表示６０が全体として、上方向や左右方向に移動するように制御部２１が表示内容を制御しても良い。
【００９９】
タッチセンサ部１６による指先Ｆの所定以上のスライドが検出されると、例えば、図１２Ｅに示すように、表示６０を消す制御が行われる。これにより、ユーザは、指紋認証のための操作が終了したものと理解して、指先Ｆをディスプレイ１３から離すことができる。
【０１００】
以上説明したように、ディスプレイ１３に表示される表示の位置を変化させることにより、誘導表示を行うことも可能である。
【０１０１】
ところで、図１３Ａに示すように、指紋撮影時に撮像素子１７による撮影範囲にドットの表示がなされていると、指紋検出の精度に影響が出る虞がある。例えば、ディスプレイ１３がＯＬＥＤで構成されＯＬＥＤの発光によりドットが表示されている場合に、指紋撮影時にＯＬＥＤの光が混入すると指紋検出の精度に影響が出る虞がある。そこで、ユーザがディスプレイ１３に指先Ｆを接触させるまでは全てのドットを表示させておく。そして、ディスプレイ１３に指先Ｆが接触されたことがタッチセンサ部１６により検出されたら、図１３Ｂに示すように、撮影範囲内に位置するドットを消去するようにしても良い。
【０１０２】
また、撮影範囲内に位置するドットを消去するのではなく、撮像素子１７に入射する光の入射方向にＢＰＦ（Band Pass Filter）等のフィルタを挿入する。そして、フィルタを通過しない波長の光を使ってドットを表示することで、ドットの表示による指紋認証の精度の低下を防止するようにしても良い。
【０１０３】
＜７．変形例＞
以上、本開示の複数の実施形態について具体的に説明したが、本開示の内容は上述した実施形態に限定されるものではなく、本開示の技術的思想に基づく各種の変形が可能である。以下、変形例について説明する。
【０１０４】
上述したリストバンド型電子機器１０における内部構造は、適宜、変更することができる。例えば、図１４に示すように、導光板１４及び発光部１５が無い構造でも良い。この場合は、ディスプレイ１３としてはＯＬＥＤ等の自発光のディスプレイが適用される。ディスプレイ１３からの光を指先Ｆが接触される箇所に照射することで撮影のための光が提供されるようにしても良い。これにより導光板１４が不要となり、装置の薄型化を実現することができる。また、タッチセンサ部１６は、ディスプレイ１３の実施形態における他方の主面側（例えば、上面側）に設けられていても良い。
【０１０５】
リストバンド型電子機器１０の形状等も適宜、変更することができる。例えば、図１５に示すような、バンド部１１及び本体部１２が一体的に形成された機器であっても良い。また、ウェアラブル機器は、リストバンド型電子機器に限定されることはなく、スマートフォン、携帯型のオーディオプレーヤでも良い。また、本開示は、パーソナルコンピュータ、ロボット機器等の電子機器に対しても適用することができる。また、本開示は、車載機器を使用される際に行われる認証や、銀行のＡＴＭ(Automatic Teller Machine)で行われる認証に対しても適用することができる。
【０１０６】
上述したリストバンド型電子機器１０が、指紋認証を用いた相手方へのメッセージ通知機能を有していても良い。例えば、ディスプレイ１３に複数のメッセージが表示される。当該複数のメッセージの中のうちの所定のメッセージをユーザがスライドすると実施形態で説明した認証が行われ、認証が成立すると、無線通信部２２を介して相手方にメッセージが通知される。メッセージとしては、例えば、「今から帰ります」等の家族に向けたメッセージを例示することができる。上司、友人等へのメッセージであっても良く、メッセージの内容は適宜、設定することができる。
【０１０７】
上述したメッセージを送るための指の認証において、認証された指の種別（親指、人差し指・・小指）に応じて、メッセージの送り先が特定されるようにしても良い。例えば、親指には父親、人差し指には母親、小指には妹のように、ユーザは、指の種別と送り先との対応付けを設定する。そして、ユーザは、「今から帰ります」というメッセージを母親に送りたい場合には、人差し指を当該メッセージでスライドさせる。認証が成立した場合は、母親に「今から帰ります」とのメッセージが通知される。このような場合にも、誘導表示を行うことができる。例えば、ディスプレイに複数のメッセージを表示しても良いし、ある時刻（例えば、夕方）になったら帰宅する旨のメッセージが自動で表示されるようにしても良い。ディスプレイ左側に複数の送り先を表示し、所定の送り先を指で触れた際に認証が行われるようにしても良い。そして、認証が成立した場合に、ディスプレイ右側に複数のメッセージを誘導表示として表示し、送り先を指定するためにディスプレイに接触させた指を、所望するメッセージにそのままスライドさせるように誘導しても良い。
【０１０８】
上述した実施形態では、操作体の一例として人の指先を挙げたが、これに限定されるものではない。例えば、操作体は、ペン状の機器であっても良い。そして、ペン先に形成された特定の形状を認識することにより、認証が行われるようにしても良い。
【０１０９】
上述した実施形態では、誘導する操作体（指先Ｆ）の操作として、指先Ｆの移動方向を例にして説明したが、これに限定されるものではない。例えば、指先Ｆの接触回数や指の種類（親指、人差し指等）であっても良いし、これらを組み合わせたものでも良い。そして、接触回数や指の種類を示す誘導表示が表示されるようにしても良い。例えば、セキュリティレベルの要求が高くなるにつれ、指先Ｆの接触回数を増やすように誘導して、指先Ｆの複数回の接触による複数回の認証が行われるようにしても良い。
【０１１０】
上述した実施形態において、音声等による操作体の誘導が行われるようにしても良い。但し、指先Ｆを接触する際はユーザの視点は接触箇所に注目していることから、ユーザが同じ知覚（視覚）で操作体の誘導を認識できる構成が好ましい。
【０１１１】
撮像素子１７を複数箇所設け、ディスプレイ１３上で指紋認証を行うことが可能な位置が複数設けられていても良い。
【０１１２】
本開示は、装置、方法、プログラム、システム等により実現することもできる。例えば、上述した実施形態で説明した機能を行うプログラムをダウンロード可能とし、実施形態で説明した機能を有しない装置が当該プログラムをダウンロードしてインストールすることにより、当該装置において実施形態で説明した制御を行うことが可能となる。本開示は、このようなプログラムを配布するサーバにより実現することも可能である。また、各実施形態、変形例で説明した事項は、適宜組み合わせることが可能である。
【０１１３】
本開示は、以下の構成も採ることができる。
（１）
表示部に接触する操作体を認識するセンサ部と、
前記操作体の操作を誘導する誘導表示を前記表示部に表示する制御部とを有する
情報処理装置。
（２）
前記制御部は、前記センサ部により得られる前記操作体の生体情報に基づいて認証を行う
（１）に記載の情報処理装置。
（３）
前記生体情報は、少なくとも、指紋、汗腺、脈拍、血圧、体温による認証、若しくはその組み合わせである
（２）に記載の情報処理装置。
（４）
前記制御部は、前記生体情報に基づく認証に基づいて、前記表示部に表示されている機能の処理を行う
（２）に記載の情報処理装置。
（５）
前記誘導表示は、前記操作体の移動方向、前記操作体の接触回数及び前記操作体の種類の少なくとも一つを示す表示である
（１）〜（４）までの何れかに記載の情報処理装置。
（６）
前記制御部は、セキュリティレベルに応じて異なる誘導表示を前記表示部に表示する
（１）〜（５）までの何れかに記載の情報処理装置。
（７）
前記制御部は、前記表示部に表示されている所定の表示を前記操作体の移動方向に沿って消去することにより前記操作体の操作を誘導する
（１）〜（５）までの何れかに記載の情報処理装置。
（８）
前記制御部は、前記表示部における前記センサ部に対応する位置に前記誘導表示を表示する
（１）〜（５）までの何れかに記載の情報処理装置。
（９）
姿勢検出部を有し、
前記制御部は、前記姿勢検出部による検出結果に応じて異なる誘導表示を表示する
（１）〜（５）までの何れかに記載の情報処理装置。
（１０）
前記制御部は、前記表示部に表示される表示の位置を変化させることにより、前記誘導表示を行う
（１）〜（５）までの何れかに記載の情報処理装置。
（１１）
前記制御部は、前記誘導表示を伴わず、且つ、前記操作体の接触位置を示す表示を前記表示部に表示する
（１）〜（１０）までの何れかに記載の情報処理装置。
（１２）
前記表示部と、前記センサ部と、前記表示部への前記操作体の接触を検出する接触検出部とが積層された構造を有する
（１）〜（１１）までの何れかに記載の情報処理装置。
（１３）
発光部と、
前記表示部における前記操作体が接触される位置に前記発光部からの光を導光する導光部とを有する
（１２）に記載の情報処理装置。
（１４）
前記表示部は自発光のディスプレイであり、前記表示部からの光が、前記操作体が接触される位置に照射される構成を有する
（１２）に記載の情報処理装置。
（１５）
前記制御部は、前記接触検出部により前記操作体の接触が検出された場合に、前記センサ部に対応する位置に表示されている表示を消去する
（１４）に記載の情報処理装置。
（１６）
前記操作体が指先であり、且つ、前記センサ部が撮像素子である
（１）〜（１５）までに何れかに記載の情報処理装置。
（１７）
センサ部が、表示部に接触する操作体を認識し、
制御部が、前記操作体の操作を誘導する誘導表示を前記表示部に表示する
情報処理方法。
（１８）
センサ部が、表示部に接触する操作体を認識し、
制御部が、前記操作体の操作を誘導する誘導表示を前記表示部に表示する
情報処理方法をコンピュータに実行させるプログラム。
（１９）
表示部と、
前記表示部に接触する操作体を認識するセンサ部と、
前記操作体の操作を誘導する誘導表示を前記表示部に表示する制御部とを有する
ウェアラブル機器。
【符号の説明】
【０１１４】
１０・・・リストバンド型電子機器、１３・・・ディスプレイ、１４・・・導光板、１５・・・発光部、１６・・・タッチセンサ部、１７・・・撮像素子、２１・・・制御部、３０・・・モーションセンサ
【図１】
2019159500.tif 000004
【図２】
2019159500.tif 000005
【図３】
2019159500.tif 000006
【図４】
2019159500.tif 000007
【図５】
2019159500.tif 000008
【図６】
2019159500.tif 000009
【図７】
2019159500.tif 000010
【図８】
2019159500.tif 000011
【図９】
2019159500.tif 000012
【図１０】
2019159500.tif 000013
【図１１】
2019159500.tif 000014
【図１２】
2019159500.tif 000015
【図１３】
2019159500.tif 000016
【図１４】
2019159500.tif 000017
【図１５】
2019159500.tif 000018
【国際調査報告】
2019159500.tif 000019
2019159500.tif 000020
2019159500.tif 000021
2019159500.tif 000022